(57)【要約】【課題】カメラの視野範囲にセンサの検知範囲を重ね合わせて視覚的に確認が可能な視野確認用ファインダーを提供する。【解決手段】被写体に対向する対物部２には、カメラのカメラ視野範囲を示すカメラ視野枠２１と、カメラ視野枠２１内でセンサの検知範囲を示すセンサ検知枠２２とを形成し、対物部２のカメラ視野枠２１とセンサ検知枠２２とを介して被写体を目で見るための接眼枠３１を形成した接眼部３を側板４，５で結合して視野確認用ファインダー１を構成する。【選択図】図２
0003134984.tif 000002
【実用新案登録請求の範囲】
【請求項１】
センサで被写体を検知したことに応じて、カメラで前記被写体を撮影するときの視野範囲を確認するための視野確認用ファインダーであって、
前記被写体に対向し、前記カメラの視野範囲を示すカメラ視野枠と、前記カメラ視野枠内で前記センサの検知範囲を示すセンサ検知枠とが形成された対物部と、
前記対物部の前記カメラ視野枠と前記センサ検知枠とを介して前記被写体を目で見るための接眼部とを備える、センサとカメラの視野確認用ファインダー。
【請求項２】
前記対物部は、前記カメラ視野枠と、前記センサ検知枠とが視認可能に形成された透明な対物シート状部材を含む、請求項１に記載のセンサとカメラの視野確認用ファインダー。
【請求項３】
前記対物シート状部材は、角型形状に形成されており、
前記接眼部は、前記対物シート状部材と同一形状であり、前記対物シート状部材に対向して設けられており、その中心に前記被写体を目で見るための接眼枠が形成された接眼シート状部材を含む、請求項２に記載のセンサとカメラの視野確認用ファインダー。
【請求項４】
前記対物部と前記接眼部とを結合するための側板を含み、
前記側板は、前記対物シート状部材と前記接眼シート状部材とを折り畳むための折り畳み部材を含む、請求項１から３のいずれかに記載のセンサとカメラの視野確認用ファインダー。
【請求項５】
前記対物部は、前記対物シート状部材を着脱自在に保持する保持部を含む、請求項２から４のいずれかに記載のセンサとカメラの視野確認用ファインダー。
【考案の詳細な説明】
【技術分野】
【０００１】
この考案は、カメラで被写体を撮影するときの撮影範囲を確認するためのセンサとカメラの視野確認用ファインダーに関する。
【背景技術】
【０００２】
本願考案者は、特願２００５−３４７９６７号（特許文献１）において、野生生物を検出して獣道などの森の中の所定の空間を移動する頻度を日時などの情報とともに記録できる野生生物検出センサ装置を提案した。
【０００３】
この野生生物検出センサ装置は、前方に対して広角または狭角の範囲内における野生生物の移動に伴う赤外線の変動を焦電センサで検出し、赤外線の変動を検出すると、許可されている時間帯であれば野生生物の接近したことを示す情報を現在時刻とともに記録し、センサユニットに操作表示ユニットを接続してキーボードにより時間帯を設定すると、記録された情報を表示器に表示する。また、カメラと連動させて野生生物の移動に伴う赤外線の変動を検出すると、カメラによる自動撮影が可能になっている。
【特許文献１】特願２００５−３４７９６７号（要約、図１）
【考案の開示】
【考案が解決しようとする課題】
【０００４】
上記野生生物検出センサ装置は、カメラと組み合わせて使用される。しかし、焦電センサの検知範囲が、カメラの撮影範囲内にあるかを設置現場で目視により確認することができない場合がある。特に、焦電センサの視野を視覚的に確認するための簡便な方法がなく、使い慣れない者にとって、野生生物検出センサ装置を適正な場所に設置するのに時間を要したり、設置が難しいことがあったりする。
【０００５】
カメラの視野に関して、ファインダーのないカメラや、設置時にファインダーを覗いて撮影範囲を確認することが難しい場合には、勘に頼って撮影範囲を決めなければならず、なれないものには適正な位置にカメラを設置するのが困難であった。
【０００６】
また、ファインダーが設けられているカメラであっても、センサの検知範囲と、カメラの視野範囲とを重ねて視覚的に確認するための簡便な装置がなかった。
【０００７】
そこで、この考案の目的は、カメラの視野範囲にセンサの検知範囲を重ね合わせて視覚的に確認が可能なセンサとカメラの視野確認用ファインダーを提供することである。
【課題を解決するための手段】
【０００８】
この考案は、センサで被写体を検知したことに応じて、カメラで被写体を撮影するときの視野範囲を確認するためのセンサとカメラの視野確認用ファインダーであって、カメラの視野範囲を示すカメラ視野枠と、被写体に対向し、カメラ視野枠内でセンサの検知範囲を示すセンサ検知枠とが形成された対物部と、対物部のカメラ視野枠とセンサ検知枠とを介して被写体を目で見るための接眼部とを備える。
【０００９】
対物部のカメラ視野枠内にセンサ検知枠を形成したので、センサの検知範囲と、カメラの視野範囲とを重ねて視覚的に確認するのが容易になる。
【００１０】
好ましくは、対物部は、カメラ視野枠と、センサ検知枠とが視認可能に形成された透明な対物シート状部材を含む。透明な対物シート状部材に、カメラ視野枠と、センサ検知枠とを形成することにより、被写体がカメラ視野枠と、センサ検知枠との両方の範囲内に入っているかを容易に確認できる。
【００１１】
好ましくは、対物シート状部材は、角型形状に形成されており、接眼部は、対物シート状部材と同一形状であり、対物シート状部材に対向して設けられており、その中心に被写体を目で見るための接眼枠が形成された接眼シート状部材を含む。
【００１２】
対物シート状部材と接眼シート状部材とを角型形状に形成することにより、視野確認用ファインダーを直方体に形成できるので、両手で保持するのが容易になる。
【００１３】
好ましくは、対物部と接眼部とを結合するための側板を含み、側板は、対物シート状部材と接眼シート状部材とを折り畳むための折り畳み部材を含む。対物シート状部材と接眼シート状部材とを折り畳み可能にすることにより、全体が平坦になるように折り畳むことができるので、鞄などへの収納が容易になる。
【００１４】
好ましくは、対物部は、対物シート状部材を着脱自在に保持する保持部を含む。
【００１５】
種々のレンズの焦点距離に応じたカメラ視野枠内に、種々のセンサの検知範囲に応じて検知枠を形成した複数の対物シート状部材を用意しておき、撮影範囲あるいは撮影距離に応じて最適な対物シート状部材を選択することで、被写体を適切な大きさで撮影することが可能になる。
【考案の効果】
【００１６】
この考案によれば、被写体に対向し、カメラのカメラ視野範囲を示すカメラ視野枠と、カメラ視野枠内でセンサの検知範囲を示すセンサ検知枠とが形成された対物部と、対物部のカメラ視野枠とセンサ検知枠とを介して被写体を目で見るための接眼部とを設けて視野確認用ファインダーを構成したので、カメラの視野範囲にセンサの検知範囲を重ね合わせて視覚的に確認するのが容易にできる。
【考案を実施するための最良の形態】
【００１７】
図１は、前述の野生生物検出センサ装置に内蔵されている市販の焦電センサ１０の一例の検知範囲を説明するための図であり、製造メーカから公表されているものである。特に、（ａ）は焦電センサ１０の検知範囲を上から見た図であり、（ｂ）は検知範囲を横から見た図であり、（ｃ）は（ａ）に示す線Ｘ―Ｘおよび（ｂ）に示す線Ｙ―Ｙに沿う検知範囲のＸＹ断面を示している。
【００１８】
焦電センサ１０は、１つのユニット内に1個または複数個の焦電素子が配列されて構成されている。その焦電素子の前面には１つまたは複数個の焦点を有する赤外線用光学レンズが配置されていて、このレンズと焦電素子との組合せによって所定の角度の検知範囲で体温を有する対象物の移動に伴う赤外線の受光量の変動を検知できる。図１（ｃ）に示す検知範囲の断面は、横軸が図１（ａ）に示す線Ｘ―Ｘに沿う検知範囲であり、縦軸が図１（ｂ）に示す線Ｙ―Ｙに沿う検知範囲の断面である。図１（ｃ）に示す各四角形が各焦電素子の検知範囲である。
【００１９】
図２はこの考案の一実施形態におけるセンサとカメラの視野確認用ファインダー１の外観斜視図であり、図３は図２に示したセンサとカメラの視野確認用ファインダー１を折り畳む様子を示す図であり、図４はセンサとカメラの視野確認用ファインダー１を折り畳んだときの外観斜視図である。
【００２０】
図２において、視野確認用ファインダー１は、対物部２と、接眼部３と、側板４，５とを含む。対物部２は、対物シート状部材として、例えば透明な樹脂を長方形に形成したシート部材で形成されており、カメラのカメラ視野枠２１と、このカメラ視野枠２１内でセンサの検知範囲を示すセンサ検知枠２２とが、例えば印刷などにより視認可能に形成されている。カメラ視野枠２１は、例えば３５ｍｍカメラのレンズの焦点距離２４ｍｍなどの視野範囲に応じて決められる。センサ検知枠２２は、図１（ｃ）に示した焦電センサの検知範囲の断面に相当する。
【００２１】
接眼部３は、対物シート状部材と同一形状であり、透明な樹脂からなる接眼シート状部材で形成されており、その中心部分に接眼枠３１が形成されている。接眼枠３１の中心点にはｘ印が形成されている。接眼枠３１とｘ印は、印刷などにより視認可能に形成してもよく、あるいは接眼シート状部材の接眼枠３１内を切欠いてもよい。接眼部３からカメラ視野枠２１を介して被写体を目で見ることができる。このとき、接眼枠３１の縁と対物部３のカメラ視野枠２１の縁が重なるように見える位置が目の正しい位置となる。カメラ視野枠２１内には、焦電センサ１０のセンサ検知枠２２が示されているので、カメラの視野範囲にセンサの検知範囲を重ね合わせて視覚的に確認が可能になる。
【００２２】
なお、接眼部３は透明な樹脂からなる接眼シート状部材で構成されているが、透明でなくとも、接眼枠３１を切欠いて目で見えるようにしたものであれば、着色されたシート状部材であってもよい。
【００２３】
側板４，５は、対物部２と接眼部３とを所定の間隔を有して平行になるように結合する。すなわち、側板４は、対物部２の一方端部と接眼部３の一方端部とを結合し、側板５は、対物部２の他方端部と接眼部３の他方端部とを結合する。
【００２４】
このように構成された視野確認用ファインダー１は、図２に示すように、全体が長方形に形成されているので、両手で保持するのが容易になる。
【００２５】
より好ましくは、対物部２および接眼部３と、側板４，５との結合部には、折り畳み部材として作用するヒンジ４１，４２，５１，５２が設けられる。このように、ヒンジ４１，４２，５１，５２を介して、側板４，５により対物部２と接眼部３とを折り畳み可能に結合しているので、図３に示す状態から図４に示すように、視野確認用ファインダー１を平坦に折り畳むことができる。視野確認用ファインダー１を折り畳むと、平坦なシート状になるので、嵩張ることがなく、鞄などに収納するのが容易であり、持ち運びが楽になる。
【００２６】
なお、ヒンジ４１，４２，５１，５２に代えて、蝶番や柔軟性のある素材などを用いるようにしてもよい。
【００２７】
図２〜図４に示した視野確認用ファインダー１を使用するときは、使用するカメラのレンズに対応したカメラ視野枠２１、および図示しない野生生物検出センサ装置のセンサに対応したセンサ検知枠２２を形成した対物部２を有するものを準備する。そして、接眼部３の接眼枠３１を覗いて、接眼枠３１の縁と対物部２のカメラ視野枠２１の縁が重なるように覗き、被写体の像がカメラ視野枠２１とセンサ検知枠２２との中に入っているかを確認する。このとき、カメラや野生生物検出センサ装置の設置位置とほぼ同じ場所で、視野確認用ファインダー１を使用すると誤差を少なくできる。
【００２８】
また、カメラや野生生物検出センサ装置の設置位置とほぼ同じ場所で、視野確認用ファインダー１を使用するのが困難な場合は、できるだけカメラや野生生物検出センサ装置の設置位置に近いところで視野確認用ファインダー１を使用し、その位置の違いからセンサの検知範囲やカメラの視野範囲の見当をつけるように使用する。
【００２９】
さらに、カメラ視野枠２１を用いてカメラの視野のみを確認したり、センサ検知枠２２を用いてセンサ検知範囲のみを確認したりするのに視野確認用ファインダー１を使用してもよい。
【００３０】
また、側板４，５は、対物部２と接眼部３とを結合するものであれば、図２に示すような長方形状に限られるものではない。
【００３１】
上述のごとく、この考案の一実施形態によれば、カメラのカメラ視野範囲を示すカメラ視野枠２１と、カメラ視野枠２１内でセンサの検知範囲を示すセンサ検知枠２２とを対物部２に形成し、対物部２のカメラ視野枠２１とセンサ検知枠２２とを介して被写体を目で見るための接眼枠３１を接眼部３に形成して視野確認用ファインダー１を構成したので、カメラの視野範囲にセンサの検知範囲を重ね合わせて視覚的に確認するのが容易になる。
【００３２】
その結果、センサやカメラを目的に応じた適切な位置に設置することが容易になり、不慣れな者でも自動撮影に不適切な位置に設置したことによる撮影の失敗を減少できる。なお、自動撮影に限ることなく、焦電センサを使用した機器の設置の際にも利用できる。
【００３３】
しかも、対物部２と、接眼部３と、側板４，５とを透明な樹脂のシートで形成できるので、きわめて安価に形成できる。さらに、視野確認用ファインダー１を折り畳み可能にしたので、嵩張ることがなく、鞄などに収納するのが容易であり、持ち運びが楽になる。
【００３４】
図５および図６は、この考案の他の実施形態における視野確認用ファインダー１ａを示す外観斜視図である。
【００３５】
図２〜図４に示した視野確認用ファインダー１は、ヒンジ４１，４２，５１，５２を用いて折り畳み自在に構成したのに対して、図５および図６に示した視野確認用ファインダー１ａは、側板４，５を中央部を境にして２分割して内側にも折り畳めるように構成したものである。すなわち、側板４，５は、それぞれ縦に２分割された部材４ａ，４ｂ，５ａ，５ｂを含み、ヒンジ４１，４２，５１，５２によって対物部２と接眼部３とに結合されているとともに、部材４ａ，４ｂがヒンジ４３により結合され、部材５ａ，５ｂがヒンジ５３により結合されている。
【００３６】
このように側板４，５を２分割して、内側に折り畳めるようにしたので、視野確認用ファインダー１ａの使用後は、対物部２と接眼部３とを両手で挟むように押さえつければ、平坦なシート状に折り畳むことができ、鞄などに収納するのが容易になる。
【００３７】
図７は、この考案の他の実施形態における視野確認用ファインダー１ｂを示す外観斜視図である。図２〜図６に示した視野確認用ファインダー１，１ａは、対物部２を構成するシート部材に、カメラ視野枠２１とセンサ検知枠２２とを直接形成したのに対して、図７に示した実施形態の視野確認用ファインダー１ｂは、対物部２を構成するシート部材とは別個に対物シート部材６を設けたものである。
【００３８】
対物シート部材６は、透明な樹脂のシート部材に、図２に示したカメラ視野枠２１とセンサ検知枠２２とが印刷などにより形成されている。対物部２の内側には、対物シート部材６を上方向から差し込んだときに、保持するための断面Ｌ字状の保持部６１，６２が設けられている。これにより、対物シート部材６を上方向から保持部６１，６２の差し込み、引き抜くことによって対物シート部材６を着脱自在にできる。
【００３９】
対物シート部材６として、複数枚用意しておき、それぞれに、撮影するカメラの装着するレンズの焦点距離、例えば２１ｍｍ、２４ｍｍ、２８ｍｍなどに応じた視野範囲を示すカメラ視野枠２１と、使用する焦電センサ１０の検知範囲に応じたセンサ検知枠２２とを形成しておけばよい。そうすれば、撮影場所あるいは撮影対象である被写体に合わせて、対物シート部材６を選択して対物部２に装着することができ、いかなる被写体を撮影する場合であっても、カメラの視野範囲にセンサの検知範囲を重ね合わせて視覚的に確認が容易にできる。
【００４０】
また、カメラ視野枠２１と、センサ検知枠２２とを別個の対物シート部材に形成しておき、使用に際してカメラ視野枠２１が形成された対物シート部材と、センサ検知枠２２が形成されたシート部材とを重ねて視野確認用ファインダー１ｂに装着するようにしてもよい。
【００４１】
図８は、この考案のさらに他の実施形態の視野確認用ファインダー１ｃを示す外観斜視図である。図２〜図７に示した視野確認用ファインダー１，１ａ，１ｂは、全体の形状が直方体になるように構成したのに対して、図８に示した視野確認用ファインダー１ｃは、全体が円錐台形となるように構成したものである。
【００４２】
視野確認用ファインダー１ｃは、対物部２ａが円形の透明な樹脂のシートで形成されており、対物部２ａの表面にカメラ視野枠２１とセンサ検知枠２２とが形成されている。対物部２ａに対して平行に円形の接眼部３１ａが設けられている。対物部２ａと接眼部３１ａとは円錐台形状の結合部４０により結合されている。
【００４３】
図８に示した視野確認用ファインダー１ｃは、図２および図３に示した視野確認用ファインダー１，１ａ，１ｂのように折り畳むことはできないが、全体の形状を円錐台形にしたので小型化できる。
【００４４】
図９は図８に示した視野確認用ファインダー１ｃをカメラ７０に装着した例を示す外観斜視図である。図９において、カメラ７０はレンズ７１とファインダー７２とを含み、通常はファインダー７２を目で覗いて、レンズ７１で撮影される被写体を確認する。しかし、図示しない野生生物検出センサ装置と連動して野生動物を撮影するとき、焦電センサの検知範囲とファインダー７２の視野範囲が一致しているかを確認することができない。そこで、図８に示した視野確認用ファインダー１ｃをカメラ７０のホットシューに装着する。視野確認用ファインダー１ｃのカメラ視野枠２１をカメラ７０のレンズ７１の焦点距離の視野範囲に合わせておけば、カメラ７０で野生生物を撮影するときのセンサ検知範囲を確認するのが容易になる。
【００４５】
なお、カメラ７０のファインダー７２には、カメラ視野枠が形成されているので、ファインダー７２にカメラ焦電センサ１０のセンサ検知枠２２を形成するようにしてもよい。
【００４６】
また、上述の各実施形態では、センサの検知枠２２として赤外線を検知する焦電センサの検知範囲を示したが、これに限らずその他の紫外線などのセンサを用いたときの検知範囲を示すものであってもよい。
【００４７】
以上、図面を参照してこの考案の実施形態を説明したが、この考案は、図示した実施形態のものに限定されない。図示された実施形態に対して、この考案と同一の範囲内において、あるいは均等の範囲内において、種々の修正や変形を加えることが可能である。
【産業上の利用可能性】
【００４８】
この考案の視野確認用ファインダー１，１ａ，１ｂ，１ｃは、野生生物検出センサ装置と連動して野生動物をカメラで撮影したり、検知範囲を視覚的に確認する簡便な方法が無い各種センサを用いたその他の装置を使用したりするのに利用できる。
【図面の簡単な説明】
【００４９】
【図１】野生生物検出センサ装置に内蔵されている焦電センサの一例の検知範囲を説明するための図である。
【図２】この考案の一実施形態における視野確認用ファインダーの外観斜視図である。
【図３】図２に示した視野確認用ファインダーを折り畳む様子を示す外観斜視図である。
【図４】折り畳んだ視野確認用ファインダーの外観斜視図である。
【図５】この考案の他の実施形態における視野確認用ファインダーを示す外観斜視図である。
【図６】図５に示した視野確認用ファインダーを折り畳む様子を示す外観斜視図である。
【図７】この考案のさらに他の実施形態の視野確認用ファインダーを示す外観斜視図である。
【図８】この考案のさらに他の実施形態の視野確認用ファインダーを示す外観斜視図である。
【図９】図８に示した視野確認用ファインダーをカメラに装着した例を示す外観斜視図である。
【符号の説明】
【００５０】
１，１ａ，１ｂ，１ｃ  視野確認用ファインダー、２，２ａ  対物部、３  接眼部、４，５  側板、４ａ，４ｂ，５ａ，５ｂ  側板部材、６  対物シート部材、１０  焦電センサ、２１  カメラ視野枠、２２  センサ検知枠、３１，３１ａ  接眼枠、４１，４２，４３，５１，５２，５３  ヒンジ、６１，６２  保持部、７０  カメラ、７１  レンズ、７２  ファインダー。
【図１】
0003134984.tif 000003
【図２】
0003134984.tif 000004
【図３】
0003134984.tif 000005
【図４】
0003134984.tif 000006
【図５】
0003134984.tif 000007
【図６】
0003134984.tif 000008
【図７】
0003134984.tif 000009
【図８】
0003134984.tif 000010
【図９】
0003134984.tif 000011